(57)【要約】【課題】操作性のみならず、視認性の向上をも図ることが可能な輸送機器用表示装置の提供。【解決手段】  表示装置２０は、乗員が操作入力することが可能なタッチパネル４０ａと、タッチパネル４０ａによる操作入力に基づいて各種画像を表示することが可能な表示用パネル３０とを備えている。タッチパネル４０ａ及び表示用パネル３０は、それぞれ離間して配置され、タッチパネル４０ａは、操作入力を行うドライバーＨの眼と表示用パネル３０との間に配置されるとともに、操作入力を行うドライバーの視線方向ＥＬにおいて表示用パネル３０と重なる位置に配置されている。【選択図】図２
2014196085.tif 000002
【特許請求の範囲】
【請求項１】
乗員が操作入力することが可能な操作手段と、該操作手段による操作入力に基づいて各種表示情報を表示することが可能な表示手段とを備えた輸送機器用表示装置であって、
前記操作手段及び前記表示手段は、それぞれ離間して配置され、
前記操作手段は、前記操作入力を行う乗員の眼と前記表示手段との間に配置されるとともに、前記操作入力を行う乗員の視線方向において前記表示手段と重なる位置に配置されることを特徴とする輸送機器用表示装置。
【請求項２】
前記操作手段は、透明又は半透明な部材により形成されていることを特徴とする請求項１に記載の輸送機器用表示装置。
【請求項３】
前記操作手段は、操作面を有し、該操作面に対して接触又は近接する入力操作が行われたことを検出するタッチパネルであることを特徴とする請求項１又は請求項２に記載の輸送機器用表示装置。
【請求項４】
前記操作手段は、座席に着座した乗員の手の届く範囲内に設けられていることを特徴とする請求項１〜請求項３の何れか１項に記載の輸送機器用表示装置。
【請求項５】
前記操作手段は、運転席の前方に設けられたステアリングに取り付けられていることを特徴とする請求項１〜請求項４の何れか１項に記載の輸送機器用表示装置。
【請求項６】
前記操作手段は、車体を構成する部材としての、運転席の前方に設けられるピラー部材及び該ピラー部の上端部側に接続されるルーフ部材、又は、前記ピラー部材又は前記ルーフ部材を車両内側から覆う内装部材の何れかに取り付けられていることを特徴とする請求項１〜請求項５の何れか１項に記載の輸送機器用表示装置。
【発明の詳細な説明】
【技術分野】
【０００１】
本発明は、輸送機器用表示装置に係り、特に、乗員の操作入力に応じて各種情報を表示することが可能な輸送機器用表示装置に関する。
【背景技術】
【０００２】
従来から、地図情報などの各種情報を表示することが可能な輸送機器用表示装置として、例えば、自動車のインストルメントパネルの車幅方向中央部に配置したものが知られている（特許文献１参照）。
【０００３】
一般に、この種の輸送機器用表示装置では、表示手段としてのディスプレイと、各種情報を入力することが可能な操作手段（例えば、タッチパネル）とが一体的に設けられている。このため、運転席等に着座した乗員が、操作手段を操作するにあたり、手を伸ばす必要があり、操作性が悪いといった問題があった。
【０００４】
そこで、例えば、インストルメントパネルの車幅方向中央部にディスプレイを配置するとともに、操作手段としての操作ボタンをステアリングに設けた表示装置が提案されている（特許文献２参照）。
【０００５】
このような表示装置によれば、ドライバー（運転者）は手を伸ばすことなく、操作手段を操作することが可能なため、操作性の向上を図ることが可能となる。
【先行技術文献】
【特許文献】
【０００６】
【特許文献１】特開２０１０−１６３１１４号
【特許文献２】特開２０１２−０２２３９３号
【発明の概要】
【発明が解決しようとする課題】
【０００７】
ところで、特許文献２に記載のような、表示手段と操作手段とが離れた位置に設けられた輸送機器用表示装置では、操作手段を操作する際、当該操作手段を視ながら操作する場合が少なくない。
【０００８】
このような場合、乗員は、操作手段を操作して表示手段に各種情報を表示させる場合、表示手段（インストルメントパネル）→操作手段（ステアリング）→表示手段（インストルメントパネル）といったように、視線方向を順次移動させる必要が生じる。
【０００９】
このため、特許文献２に記載の表示装置は、操作性の向上は図られているものの、視認性の面において十分とは言い難いものであった。
【００１０】
また、特許文献２に記載の表示装置では、操作手段を操作する乗員がドライバーである場合、上述したような視線方向の移動により、安全性の面に影響を及ぼす虞が生じる。
【００１１】
本発明は、上記不都合を解消するためになされたものであり、その目的は、操作性のみならず、視認性の向上をも図ることが可能な輸送機器用表示装置を提供することにある。
【課題を解決するための手段】
【００１２】
前記課題は、本発明に係る輸送機器用表示装置によれば、乗員が操作入力することが可能な操作手段と、該操作手段による操作入力に基づいて各種表示情報を表示することが可能な表示手段とを備えた輸送機器用表示装置であって、前記操作手段及び前記表示手段は、それぞれ離間して配置され、前記操作手段は、前記操作入力を行う乗員の眼と前記表示手段との間に配置されるとともに、前記操作入力を行う乗員の視線方向において前記表示手段と重なる位置に配置されることにより解決される。
【００１３】
上記構成では、操作手段が、表示手段を視る乗員の視線方向上に配置されているため、乗員は、操作手段を操作する際、表示手段に表示される表示情報（例えば、画像）を視ながら、操作手段を操作することができるように構成されている。すなわち、乗員は、操作手段を操作する際に視線を移動させる必要がないため、視認性の向上を図ることが可能である。
【００１４】
また、上記構成では、操作手段を乗員の手の届く位置に配置することによって、操作手段を操作する際の操作性を向上させることが可能である。
【００１５】
例えば、上記構成では、自動車の運転席の車両前方側に位置するインストルメントパネルに表示手段を設けるとともに、ステアリングに操作手段を設けることも可能である。
【００１６】
斯かる場合、ドライバーは、視線を移動させることなく、表示手段に表示される各種情報及び操作手段を視ることができ、そのうえ、ドライバーの手の届く位置で操作手段を操作することが可能となる。
【００１７】
しかも、自動車が走行中である場合、ドライバーは、車外（車両前方）と、表示手段及び操作手段との間で視線方向を殆ど移動させることなく、これらを視ることが可能である。
【００１８】
このため、表示手段及び操作手段をそれぞれ上述したような位置に配置した場合には、操作性及び視認性のみならず、安全性をも向上させることが可能となる。
【発明の効果】
【００１９】
以上のように、本発明に係る輸送機器用表示装置によれば、簡単な構成で、操作性及び視認性の何れをも向上させることができる。
【図面の簡単な説明】
【００２０】
【図１】本発明の実施の一形態に係る車両の車室内を示す斜視図である。
【図２】乗員、表示用パネル及び入力用パネルの位置関係を示す側面図である。
【図３】表示用パネル及び入力用パネルを運転席側から視た状態を示す正面図である。
【図４】車両用情報表示システムに設けられている制御システムを説明するためのブロック図である。
【図５】表示用パネルに表示される画像の一例としての「ナビゲーションメニュー画面」を示す図である。
【図６】表示用パネルに表示される画像の一例としての「ナビゲーション画面」を示す図である。
【発明を実施するための形態】
【００２１】
以下、本発明の実施形態を、図面に基づいて説明する。図１は本発明の実施の一形態に係る車両の車室内を示す斜視図、図２は乗員、表示用パネル及び入力用パネルの位置関係を示す側面図、図３は表示用パネル及び入力用パネルを運転席側から視た状態を示す正面図、図４は車両用情報表示システムに設けられている制御システムを説明するためのブロック図、図５は表示用パネルに表示される画像の一例としての「ナビゲーションメニュー画面」を示す図、図６は表示用パネルに表示される画像の一例としての「ナビゲーション画面」を示す図である。なお、図中ＦＲは車両前方を、ＵＰは車両上方をそれぞれ示している。また、以下の説明における左右方向は、車両に着座した乗員が車両前方を向いた状態での左右方向を意味する。
【００２２】
図１に示すように、本実施形態に係る車両用情報表示システム１０は、表示装置２０を備えている。表示装置２０は、自動車等の車両１の車室内に設けられ、表示用パネル３０と、入力用パネル４０とを備えている。なお、上記表示装置２０と、表示用パネル３０とが、それぞれ、特許請求の範囲に記載の「輸送機器用表示装置」と、「表示手段」とに該当する。
【００２３】
車両１は、運転席２の車両前方側に設けられるインストルメントパネル３と、運転席２とインストルメントパネル３との間に配置されるステアリングホイール４とを有している。ステアリングホイール４は、チルトレバー（図示省略）を操作することによって、上下方向に移動することが可能なように構成されている。なお、上記ステアリングホイール４が特許請求の範囲に記載の「ステアリング」に該当する。
【００２４】
図２及び図３に示すように、表示用パネル３０は、例えば、液晶パネルとバックライトとが一体的に設けられた、いわゆる液晶ディスプレイプレイ装置であって、インストルメントパネル３のうち、運転席２の車両前方側の部分に取り付けられている。ドライバー（運転者）Ｈは、表示用パネル３０の表示画面に表示される各種画像を、ステアリングホイール４の上側空間部４ａを介して視ることが可能となっている。なお、表示用パネル３０は、液晶ディスプレイ装置に限られず、プラズマディスプレイプレイや有機ＥＬ等の自発光型の表示デバイスを用いることも可能である。
【００２５】
表示用パネル３０には、車両１の走行速度（スピードメータ）や、エンジンの単位時間当たりの回転数（タコメータ）などといった、一般的な車両情報を示す画像の他、地図情報画像などを表示するナビゲーション画像等の各種画像を切り替えて表示することが可能となっている。
【００２６】
ここで、表示用パネル３０に表示される各種画像について、図３及び図５を参照して説明する。
【００２７】
図３に示すように、インストルメントパネル３には、表示用パネル３０が配置される位置の右側に、インストルメントパネル側操作部５が設けられている。インストルメントパネル側操作部５は、十字キー５ａと、十字キー５ａの右側に設けられるメニュー画面表示スイッチ５ｂとを有している。
【００２８】
十字キー５ａは、上側端部、下側端部、左側端部及び右側端部を有し、これら端部の何れかを押圧することによって、表示用パネル３０に表示される画像全体の表示位置を移動させることが可能となっている。例えば、ドライバーＨが上側端部を押圧し続けている場合には、押圧している間、表示用パネル３０に表示される画像を上方向へスクロール移動させることが可能となっている。なお、本実施形態では、表示用パネル３０に表示される画像全体を、十字キー５ａを操作することによって移動させることができるように構成したが、例えば、後述するタッチパネル４０ａによる操作入力（例えば、フリック操作）によって移動させることができるように構成することも可能である。
【００２９】
メニュー画面表示スイッチ５ｂは、押圧式のスイッチであって、押圧することによって、表示用パネル３０に、図３に示すような「メニュー表示画面」を表示させることが可能となっている。この「メニュー表示画面」には、「ＮＡＶＩ」、「ＡＵＤＩＯ」、「ＶＩＤＥＯ」、「Ａ／Ｃ」、「戻る」等の選択画像（アイコン画像）Ｉが複数表示されるようになっている。
【００３０】
詳しくは後述するが、ドライバーＨは、これら選択画像Ｉの何れかを入力用パネル４０を介して選択することによって、表示用パネル３０に、当該選択画像Ｉに対応する機能を作動させるための初期画像を、表示させることが可能となっている。具体的に説明すると、ドライバーＨが「メニュー表示画面」（図３参照）において選択画像Ｉ「ＮＡＶＩ」のを選択した場合、表示用パネル３０には、ナビゲーション機能の各種設定等を行うことが可能な「ＮＡＶＩ  ＭＥＮＵ画面」（図５参照）が、「メニュー表示画面」に切り替わって表示されるようになっている。
【００３１】
本実施形態では、「メニュー表示画面」や、各種機能（例えば、ナビゲーション機能）の表示画面は、表示用パネル３０の車幅方向中央の位置で比較的大きく表示されるようになっている。これら表示画面が表示されている状態では、当該表示画面の左右両側に、スピードメータ、タコメータ等が表示されるようになっている。なお、表示用パネル３０には、「メニュー表示画面」や、各種機能の表示画面が表示されている場合を除き、車両情報を示す一般的な画像（スピードメータ、タコメータ等）のみが表示（図示省略、以下、「一般表示画面」と称す）されるようになっている。
【００３２】
次に、入力用パネル４０について図２及び図３を参照して説明する。
図２及び図３に示すように、入力用パネル４０は、操作面に対して指等を接触又は近接させることによって操作入力することが可能なタッチパネル４０ａと、タッチパネル４０ａの車両前方側の面に積層される液晶表示パネル４０ｂとを有している。タッチパネル４０ａ及び液晶表示パネル４０ｂは、何れも透明な部材により形成され、それぞれ公知のものを採用することが可能である。なお、上記タッチパネル４０ａが特許請求の範囲に記載の「操作手段」に該当する。
【００３３】
入力用パネル４０は、ステアリングホイール４の上側空間部４ａと略同一形状を有し、この上側空間部４ａの開口周縁部に固定されている。すなわち、本実施形態において、ドライバーＨは、表示用パネル３０に表示される画像を、入力用パネル４０を介して視ることが可能となっている。なお、入力用パネル４０は、透明な部材の他、半透明な部材により形成することも可能である。しかしながら、表示用パネル３０に表示される画像の視認性を考慮すれば、極力、透明度の高い部材により形成するのが好ましい。
【００３４】
液晶表示パネル４０ｂには、ドライバーＨが、タッチパネル４０ａのうち、操作することが可能な領域（以下、「操作可能領域」と称す）を確認できるように、破線ＢＬが表示されるようになっている。また、この破線ＢＬは、表示用パネル３０に表示される選択画像Ｉのサイズよりも若干大き目なサイズで表示されるようになっている。
【００３５】
例えば、図３に示すように、表示用パネル３０に「メニュー設定画面」が表示されている状態で、破線ＢＬは、「メニュー設定画面」に表示される選択画像Ｉ（「ＮＡＶＩ」や「ＡＵＤＩＯ」等）と対応する位置に表示されるようになっている。ドライバーＨは、破線ＢＬで囲まれる領域の何れかを、タッチパネル４０ａを介してタッチ等することによって、「メニュー設定画面」に表示される選択画像Ｉ（例えば、「ＮＡＶＩ」）を選択することが可能となっている。
【００３６】
また、タッチパネル４０ａの操作可能領域及び液晶表示パネル４０ｂに表示される破線ＢＬは、表示用パネル３０に表示される表示画像に対応（連動）して、変更されるようになっている。
【００３７】
例えば、図５に示すように、ドライバーＨが、タッチパネル４０ａのうち、「ＮＡＶＩ」の選択画像Ｉ（図３参照）に対応する操作可能領域をタッチ等して、表示用パネル３０に、「ＮＡＶＩ  ＭＥＮＵ画面」が表示された場合、液晶表示パネル４０ｂには、「ＮＡＶＩ  ＭＥＮＵ画面」に表示される選択画像Ｉ（例えば、「出発地・目的地の設定」の選択画像Ｉ）と対応する位置に、破線ＢＬが表示されるようになっている。ドライバーＨは、破線ＢＬで囲まれる領域の何れかを、タッチパネル４０ａを介してタッチ等することによって、「ＮＡＶＩ  ＭＥＮＵ画面」に表示される選択画像Ｉ（例えば、「出発地・目的地の設定」）を選択することが可能となっている。
【００３８】
図３に示すように、液晶表示パネル４０ｂに表示される破線ＢＬ（及びタッチパネル４０ａの選択可能領域）は、表示用パネル３０に表示される画像と同様に、ステアリングホイール４の所定位置に設けられる、ステアリングホイール側操作部６を操作することによって移動させることが可能となっている。
【００３９】
ステアリングホイール側操作部６は、インストルメントパネル側操作部５の十字キー５ａと同様な、十字型のスイッチであって、ドライバーＨが、上側端部、下側端部、左側端部及び右側端部の何れかを押圧操作することによって、液晶表示パネル４０ｂに表示される破線ＢＬ（タッチパネル４０ａの選択可能領域）を移動させることが可能となっている。例えば、ドライバーＨが上側端部を押圧し続けている場合には、押圧している間、液晶表示パネル４０ｂに表示される破線ＢＬを上方向へスクロール移動させることが可能となっている。
【００４０】
ドライバーＨは、ステアリングホイール側操作部６を操作することによって、表示用パネル３０を視るドライバーＨの視線方向ＥＬ（図３参照）において、選択画像Ｉ（表示用パネル３０）を、破線ＢＬ（液晶表示パネル４０ｂ）で囲まれる領域内に位置させることができるようになっている。ドライバーＨは、このような位置調整をすることにより、破線ＢＬで囲まれる領域をタッチ等することによって当該領域に対応する選択画像Ｉを選択することが可能となっている。このような位置調整は、ステアリングホイール側操作部６による操作の他、ステアリングホイール４を上下方向に移動させることによって、また、インストルメントパネル側操作部５の十字キー５ａを操作することによっても行うことが可能である。なお、本実施形態では、破線ＢＬを、ステアリングホイール側操作部６を操作することによって移動させることができるように構成したが、例えば、タッチパネル４０ａによる操作入力（例えば、フリック操作）によって移動させることができるように構成してもよい。また、破線ＢＬは、上記のような位置調整を行った後、液晶表示パネル４０ｂに表示させないようにすることも可能である。
【００４１】
次に、車両用情報表示システム１０に設けられている制御システムについて図４を参照して説明する。
【００４２】
図４に示すように、制御システムは、主として、表示制御基板１００、表示用パネル３０、入力用パネル４０（タッチパネル４０ａ及び液晶表示パネル４０ｂ）、インストルメントパネル側操作部５（十字キー５ａ及びメニュー画面表示スイッチ５ｂ）、ステアリングホイール側操作部６、車両１の所定位置に設けられた操舵角センサ７、各種出力装置８、及び、送受信機９を備え、それぞれが配線ケーブルによって接続されている。
【００４３】
表示制御基板１００は、表示用パネル３０等に設けられ、表示制御ＣＰＵ１０１と、表示制御ＲＯＭ１０２と、表示制御ＲＡＭ１０３とを備えている。
【００４４】
表示制御ＣＰＵ１０１は、表示制御ＲＯＭ１０２に予め記憶されているシステムプログラム等を読み込み、タッチパネル４０ａ等から入力された情報に基づいて、表示用パネル３０や液晶表示パネル４０ｂに画像データを出力するとともに、タッチパネル４０ａに操作可能領域指定データを出力する。この際、表示制御ＣＰＵ１０１は、必要に応じて、車両１に設けられたスピーカ等の各種出力装置８に音声データ等を出力する。
【００４５】
例えば、表示制御ＣＰＵ１０１は、メニュー画面表示スイッチ５ｂの押圧操作によって、メニュー画面表示信号が入力された場合、表示用パネル３０に、メニュー画面表示データを出力するとともに、液晶表示パネル４０ｂに、破線ＢＬを表示させるための破線表示データを出力する。この際、表示制御ＣＰＵ１０１は、タッチパネル４０ａに、上記破線ＢＬによって囲まれる領域を操作可能領域とするための操作可能領域指定データを出力する。
【００４６】
これにより、表示用パネル３０には「メニュー表示画面」が表示され、また、液晶表示パネル４０ｂにはメニュー表示画面の各選択画像Ｉと対応する位置にそれぞれ破線ＢＬが表示されることとなる（図３参照）。また、破線ＢＬによって囲まれる領域が操作可能な領域として有効となる。
【００４７】
また、表示制御ＣＰＵ１０１は、ステアリングホイール４の操舵角θを検出する操舵角センサ７から入力された操舵角データに基づいて、液晶表示パネル４０ｂとタッチパネル４０ａとに、それぞれ、破線ＢＬを非表示にするための非表示信号と、有効となっていた操作可能領域を無効とする操作無効信号とを出力するように構成されている。
【００４８】
具体的に、表示制御ＣＰＵ１０１は、操舵角センサ７から入力された操舵角データが、所定の範囲内（例えば、−３度≦操舵角θ≦＋３度）でない場合、ステアリングホイール４が、タッチパネル４０ａによる操作入力をすることができない位置にあると判定して、タッチパネル４０ａと、液晶表示パネル４０ｂとに、それぞれ、操作無効信号と、非表示信号とを出力する。
【００４９】
これにより、表示用パネル３０に、例えば、図３に示すような、「メニュー表示画面」が表示されていたとしても、液晶表示パネル４０ｂには破線ＢＬが表示されず、また、ドライバーＨがタッチパネル４０ａをタッチ等してもその操作が無効とされることとなる。
【００５０】
一方、ステアリングホイール４が操作されることにより、操舵角センサ７から入力されたデータが、上記所定の範囲内となった場合、表示制御ＣＰＵ１０１は、タッチパネル４０ａと、液晶表示パネル４０ｂとに、それぞれ、操作可能領域指定データと、破線表示データとを出力する。
【００５１】
これにより、液晶表示パネル４０ｂには、メニュー表示画面の各選択画像Ｉと対応する位置にそれぞれ破線ＢＬが表示され、また、破線ＢＬによって囲まれる領域が操作可能な領域として有効となる。
【００５２】
表示制御ＲＯＭ１０２は、システムプログラムを記憶している他、表示用パネル３０に出力される各種画像データ、液晶表示パネル４０ｂに出力される破線表示データ、及び、タッチパネル４０ａの操作可能領域を指定するための操作可能領域指定データ等を記憶している。操作可能領域指定データは、例えば、操作可能領域毎に、Ｘ軸座標○○〜△△、Ｙ軸座標××〜□□といったような座標データが記憶されている。
【００５３】
表示制御ＲＯＭ１０２には、例えば、表示用パネル３０に表示される各種画像データとして、メニュー画面表示スイッチ５ｂからメニュー画面表示信号が入力された場合に出力される「メニュー画面表示データ」（図３参照）、メニュー表示画面の「ＮＡＶＩ」が選択された際に出力される「ＮＡＶＩ  ＭＥＮＵ表示データ」（図５参照）などが階層的に記憶されている。
【００５４】
また、表示制御ＲＯＭ１０２は、上述したような、ステアリングホイール４が所定の範囲内にあるか否かを判定する際に用いる操舵角判定データ（−３度≦操舵角θ≦＋３度）、車両１が停止状態から走行状態に移行したか否かを判定する際に用いる判定データ、及び、車両１が走行状態から停止状態に移行したか否かを判定する際に用いるデータ等の各種判定データも記憶している。
【００５５】
表示制御ＲＡＭ１０３は、表示制御ＣＰＵ１０１によって実行されるプログラムや、表示制御ＣＰＵ１０１による演算結果等を一時的に記憶する。
【００５６】
送受信機９は、ナビゲーション機能を作動させた場合に、車両１の現在位置をＧＰＳ（Ｇｌｏｂａｌ  Ｐｏｓｉｔｉｏｎｉｎｇ  Ｓｙｓｔｅｍ、図示省略）衛星に送信するともに、ＧＰＳ衛星から送信された位置情報データを受信するものである。
【００５７】
ＧＰＳ衛星から位置情報データを受信した場合の制御処理については、公知であるため、詳しい説明は省略するが、簡単に説明すると、表示制御ＣＰＵ１０１は、ＧＰＳ衛星から位置情報データを受信した場合、表示用パネル３０に、現在の車両位置とその周辺の地図情報を表示するように制御する（図６参照）。
【００５８】
このように、本実施形態によれば、タッチパネル４０ａが、表示用パネル３０を視るドライバーＨの視線方向ＥＬ上に配置されているため、ドライバーＨは、タッチパネル４０ａを操作する際、表示用パネル３０に表示される画像を視ながら、タッチパネル４０ａを操作することができるように構成されている。すなわち、ドライバーＨは、タッチパネル４０ａを操作する際に視線を移動させる必要がないため、視認性の向上を図ることが可能である。
【００５９】
また、本実施形態では、タッチパネル４０ａが、車両１を運転する際にドライバーＨが握るステアリングホイール４に取り付けられているため、タッチパネル４０ａを操作する際の操作性を向上させることが可能である。
【００６０】
さらに、本実施形態では、表示用パネル３０が、運転席２の車両前方側に位置するインストルメントパネル３に取り付けられており、ドライバーＨは、表示用パネル３０に表示される画像を、ステアリングホイール４に取り付けられるタッチパネル４０ａを介して視ることが可能なように構成されている。このため、ドライバーＨは、車両１が走行中である場合、車外（車両前方）と、表示用パネル３０及びタッチパネル４０ａとの間で視線方向ＥＬを殆ど移動させることなく、これら（車両前方、表示用パネル３０及びタッチパネル４０ａ）を視ることが可能である。従って、本実施形態に係る表示装置２０によれば、操作性及び視認性のみならず、安全性をも向上させることが可能となる。
【００６１】
なお、本実施形態では、入力用パネル４０を、ステアリングホイール４に取り付けたが、入力用パネル４０を操作するドライバーＨの視線方向ＥＬにおいて、表示用パネル３０と入力用パネル４０とが重なる位置に配置されていれば、車両１のＡピラー５０（図１参照）や、車両１のルーフパネル等のルーフ部材（図示省略）に取り付けてもよく、また、これらＡピラー５０及びルーフ部材を車室内側から覆う内装部材５１（図１参照）に取り付けることも可能である。この際、入力用パネル４０は、座席（運転席２の他、助手席等を含む）に着座する乗員の手の届く範囲に配置するのが好ましい。
【００６２】
また、本実施形態では、入力用パネル４０を、ステアリングホイール４に固定したが、例えば、ステアリングホイール４に、ヒンジ部材等を介して揺動自在に取り付けることも可能である。
【００６３】
さらに、本実施形態では、表示用パネル３０を、インストルメントパネル３に取り付けたが、入力用パネル４０を操作するドライバーＨの視線方向ＥＬにおいて、表示用パネル３０と入力用パネル４０とが重なる位置に配置していれば、例えば、フロントガラス５３に取り付けてもよく、また、車両１のＡピラー５０（図１参照）、車両１のルーフパネル等のルーフ部材（図示省略）及びこれらを車室内側から覆う内装部材５１（図示省略）に取り付けることも可能である。この際、表示用パネル３０は、ヒンジ部材等を介して揺動自在に取り付けることも可能である。
【００６４】
また、本実施形態では、表示用パネル３０に表示される選択画像Ｉと、タッチパネル４０ａの操作可能領域とを、ステアリングホイール側操作部６等を操作することによって、一致させるようにしたが、これに限られず、例えば、乗員の視線方向を検知する検知センサを設け、当該検知センサが視線の移動を検知した際、自動的に、表示用パネル３０に表示される選択画像Ｉと、タッチパネル４０ａの操作可能領域とを一致させるように構成することも可能である。
【００６５】
さらに、本実施形態では、表示装置２０を、自動車等の車両１に設けたが、例えば、電車、飛行機等あらゆる輸送機器に設けることが可能である。
【００６６】
以上、本発明者によってなされた発明を適用した実施形態について説明したが、この実施形態による本発明の開示の一部をなす論述及び図面により、本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００６７】
１  車両
２  運転席
３  インストルメントパネル
４  ステアリングホイール
４ａ  上側空間部
５  インストルメントパネル側操作部
５ａ  十字キー
５ｂ  メニュー画面表示スイッチ
６  ステアリングホイール側操作部
７  操舵角センサ
８  各種出力装置
９  送受信機
１０  車両用情報表示システム
２０  表示装置
３０  表示用パネル
４０  入力用パネル
４０ａ  タッチパネル
４０ｂ  液晶表示パネル
５０  Ａピラー
５１  内装部材
５３  フロントガラス
１００  表示制御基板
１０１  表示制御ＣＰＵ
１０２  表示制御ＲＯＭ
１０３  表示制御ＲＡＭ
ＢＬ  破線
Ｃ１，Ｃ２  入力欄
Ｃ３  文字・数字入力欄
Ｃ４  検索キーワード表示欄
Ｈ  ドライバー
ＥＬ  視線方向
Ｐ１  現在地
Ｐ２  行先地
Ｒ  最適ルート
Ｉ  選択画像
【図１】
2014196085.tif 000003
【図２】
2014196085.tif 000004
【図３】
2014196085.tif 000005
【図４】
2014196085.tif 000006
【図５】
2014196085.tif 000007
【図６】
2014196085.tif 000008